(57)【要約】  内側部分（１０）、内側部分（１０）に形成されたチャンネル（１２）、及び内側部分（１０）上に可動に配設された外側部分（１５）を含むニードルアセンブリ取り外しデバイスが記載される。チャンネル（１２）は近位開口部（１１）を有する。内側部分（１０）に対する外側部分（１５）の第一の方向への動きにより、内側部分（１０）が、近位開口部（１１）を第一の幅から第二の幅へ変化させる。【選択図】図２
2014516718.tif 000002
【特許請求の範囲】
【請求項１】
ニードルアセンブリの取り外しデバイス（１）であって、
内側部分（１０）；
内側部分（１０）に形成され、近位開口部（１１）を有するチャンネル（１２）；
内側部分（１０）上に可動に配設された外側部分（１５）、
を含んでなり、
ここで、内側部分（１０）に対する外側部分（１５）の第一の方向への動きにより、内側部分（１０）が、近位開口部（１１）を第一の幅から第二の幅へ変化させる、上記ニードルアセンブリの取り外しデバイス。
【請求項２】
第一の幅が、ニードルアセンブリ（３）のニードルハブ（４）の直径より大きい、請求項１に記載のニードルアセンブリの取り外しデバイス（１）。
【請求項３】
第二の幅は、ニードルアセンブリ（３）のニードルハブ（４）の直径に実質的に等しい、請求項２に記載のニードルアセンブリの取り外しデバイス（１）。
【請求項４】
請求項１〜３のいずれか１項に記載のニードルアセンブリの取り外しデバイス（１）であって、ここで、内側部分（１０）は第一の傾斜面（１３）を含み、及び外側部分（１５）は第二の傾斜面（１４）を含み、ここに、第一の傾斜面（１３）は第二の傾斜面（１４）に当接する、上記ニードルアセンブリの取り外しデバイス。
【請求項５】
内側部分（１０）に対する外側部分の第二の方向への動きにより、内側部分（１０）が、近位開口部（１１）を第二の幅から第一の幅へ変化させる、請求項１〜４のいずれか１項に記載のニードルアセンブリの取り外しデバイス。
【請求項６】
チャンネル（１２）は、遠位開口部（１２）を含む、請求項１〜５のいずれか１項に記載のニードルアセンブリの取り外しデバイス。
【請求項７】
遠位開口部（１２）の第三の幅が、第一の幅と同等又はそれより大きい、請求項１〜６のいずれか１項に記載のニードルアセンブリの取り外しデバイス（１）。
【請求項８】
内側部分（１０）に連結されたばね（１６）：
を更に含んでなる、請求項１〜７のいずれか１項に記載のニードルアセンブリの取り外しデバイス（１）。
【請求項９】
が動く
ばね（１６）が、内側部分（１０）に対する外側部分（１５）の第一の方向への動きの間、圧縮される請求項８に記載のニードルアセンブリの取り外しデバイス（１）。
【発明の詳細な説明】
【技術分野】
【０００１】
発明は、例えば、ペン注射器又は自動注射器などの注射デバイスからニードルアセンブリを取り外すためにニードルアセンブリの取り外しデバイスに関する。
【背景技術】
【０００２】
糖尿病などの疾病を病む患者は、しばしば、注射を自己投与する必要がある。ペン注射器又は自動注射器などの注射デバイスは、自己投与注射を容易にするために開発されてきた。一般的にそのような注射デバイスは、再使用可能であり、及び感染のリスクを最小にするために滅菌ニードルアセンブリで再充填される。
【０００３】
従来のニードルアセンブリは、針を運搬し、及び注射デバイスに連結するニードルハブを有する。注射デバイスの再使用のために、ニードルアセンブリは、注射デバイスから取り外し、そして未使用のニードルアセンブリで代替する必要がある。使用済みのニードルアセンブリの注射デバイスから取り外す方法は、患者が手動で取り外し、及び／又は、使用済みのニードルアセンブリを接触することを要求される場合、針突き刺し損傷のリスクを含む可能性がある。従って、ニードルアセンブリの取り外しデバイス用の必要性が存在する。
【発明の概要】
【発明が解決しようとする課題】
【０００４】
本発明の目的は、注射デバイスからニードルアセンブリを安全に取り外すためのニードルアセンブリの取り外しデバイスを提供することである。
【課題を解決するための手段】
【０００５】
例示的な実施態様において、ニードルアセンブリの取り外しデバイスは、内側部分、内側部分に形成されたチャンネル、及び内側部分上に可動に配設された外側部分を含む。チャンネルは、近位開口部を有する。内側部分に対する外側部分の第一の方向への動きにより、内側部分が、近位開口部を第一の幅から第二の幅へ変化させる。
【０００６】
例示的な実施態様において、第一の幅は、ニードルアセンブリのニードルハブの直径より大きい。第二の幅は、ニードルアセンブリのニードルハブの直径と実質的に等しい。
【０００７】
例示的な実施態様において、内側部分は第一の傾斜面を含み、そして外側部分は、第二の傾斜面を含む。第一の傾斜面は、第二の傾斜面に当接する。
【０００８】
例示的な実施態様において、内側部分に対する外側部分の第二の方向への動きにより、内側部分が、近位開口部を第二の幅から第一の幅へ変化させる。
【０００９】
例示的な実施態様において、チャンネルは遠位開口部を含む。遠位開口部の第三の幅は、第一の幅と同等か、又は大きい。
【００１０】
例示的な実施態様において、ばねは、内側部分に連結される。ばねは、内側部分に対する外側部分の第一の方向への動きの間、圧縮される。
【００１１】
本発明の適用可能性の更なる範囲は、以下に与えられる詳細な記載から明白になるであろう。しかし、詳細な記載及び具体的な例は、それらが発明の好ましい実施態様示すものではあるが、図示のみを経由して与えられることを理解すべきであろう。何故ならば、本発明の精神及び範囲内での様々な変更及び改質は、この詳細な記載から当業者には明白になるからである。
【００１２】
本発明は以下に与えられる詳細な記載、及び例としてのみ与えられる添付の図面から完全に理解される：
【図面の簡単な説明】
【００１３】
【図１】本発明の例示的な実施態様に基づくニードルアセンブリの取り外しデバイスの概略の断面図を示す。
【図２】本発明の例示的な実施態様に基づくニードルアセンブリの取り外しデバイスの概略の断面図を示す。
【図３】本発明の例示的な実施態様に基づくニードルアセンブリの取り外しデバイスの概略の断面図を示す。
【図４】本発明の別の例示的な実施態様に基づくニードルアセンブリの取り外しデバイスの概略の断面図を示す。
【図５】本発明の別の例示的な実施態様に基づくニードルアセンブリの取り外しデバイスの概略の断面図を示す。
【図６】本発明の別の例示的な実施態様に基づくニードルアセンブリの取り外しデバイスの概略の断面図を示す。
【００１４】
対応する部分は、全ての図において同一の参照記号を記す。
【発明を実施するための形態】
【００１５】
図１〜３は、本発明に記載のニードルアセンブリの取り外し可能デバイスの例示的な実施態様の概略の断面図を示す。
【００１６】
図１の例示的な実施態様で示す通り、ニードルアセンブリの取り外し可能デバイス１は、注射デバイス２に連結されたニードルアセンブリ３を取り外すために活用される。ニードルアセンブリ３は注射デバイス２の遠位端に嵌合するように適合されたニードルハブ４及びニードルハブ４に連結する針５を含み得る。針５は、注射デバイス２における薬剤カートリッジ内に挿入される近位部分を含み得て、そして患者の皮膚を穿孔し、そして薬剤の送達のための遠位部分を含み得る。ニードルハブ４が、ねじフィット、バヨネットフィット、スナップフィット、摩擦フィットなどを経由して注射デバイス２に連結し得る。
【００１７】
例示的な実施態様において、注射デバイス２の遠位端は、ネック部分６、ネック部分６の近位にあるショルダ部分７、及びショルダ部分７の近位端にあるボディ部分８を含む。ボディ部分８は、薬剤カートリッジを囲み得て、そしてその遠位端でセプタムを含んでもよく、ここで、ニードルアセンブリ３が注射デバイスに連結されるとき、針５の近位部分により穿孔され得る。
【００１８】
例示的な実施態様において、ニードルアセンブリの取り外しデバイス１は、内側部分１０及び外側部分１５を含むハウジング９を含む。内側部分に形成されるチャンネル１２は、近位開口部１１及び遠位開口部１８を含み得る。近位開口部１１は、ニードルアセンブリ３のニードルハブ４を受け入れるように、サイズを決められ、形状を決められ得る。ハウジング９の外側部分１５は、内側部分１０を取り囲み得る。内側部分１０は、インタフェースに沿って外側部分１５に対して可動であり得る。例示的な実施態様において、インタフェースは、内側部分１０上に形成される第一の傾斜面１３及び外側部分１５上に形成される第二の傾斜面１４を含み得る。
【００１９】
例示的な実施態様において、ばね１６は、内側部分１０の遠位端及びハウジング９の遠位端１７に連結される。
【００２０】
図１における例示的な実施態様に示す通り、注射が投与された後、ニードルアセンブリ取り外しデバイス１は、ニードルアセンブリ３がチャンネル１２の近位開口部１１で受け入られるように、注射デバイス２上に置かれる。
【００２１】
図２における例示的な実施態様に示すとおり、ニードルアセンブリ取り外しデバイス１は、内側部分１０の近位端１９が注射デバイス２のショルダ部分７に隣接するまで、第一の方向（例えば、近位に）に前進する。ニードルアセンブリの取り外しデバイス１は、更に、近位に前進するので、ばね１６は圧縮し、そして外側部分１５が内側部分１０に対して近位に動く。外側部分１５が内側部分１０に対して、近位に動くので、外側部分１５が内側部分１０を押さえ、そして、近位開口部１１の第一の幅を変化させる（例えば、低下させる）。近位開口部１１が、第二の幅にあるとき、内側部分１０がニードルアセンブリ３のニードルハブ４に係合する。インタフェースの曲がった方向付けに起因して、外側部分１５の第一の方向への動きは、内側部分１０を半径方向に動かす。ニードルハブ４の摩擦係合に起因して、ニードルアセンブリ３は、注射デバイス２に対してハウジング９を回転することにより取り外すことができる（例えば、ねじをまわしてはずす）。
【００２２】
図３において例示的な実施態様で示す通り、ニードルアセンブリ３が注射デバイス２から取り外された後、ニードルアセンブリの取り外しデバイス１は、注射デバイス２から取り外され得る。ニードルアセンブリの取り外しデバイス１は、注射デバイス２から取り外されるとき、ばね６が伸び、そして外側部分１５は、内側部分１０に対して第二の方向（例えば、遠位に）に動く。外側部分１５が、内側部分１０に対して遠位に動くとき、内側部分１０は外側の半径方向に動き、近位開口部１１を第一の幅に戻ることを可能にし、それにより、ニードルアセンブリ３を解放する。近位開口部１１又は遠位開口部１８を容器に対して方向付けすることにより、ニードルアセンブリ３は処分され得る。遠位開口部１８は第一の幅と同等又はそれより大きい第三の幅を有し得る。
【００２３】
図４〜６は本発明に記載のニードルアセンブリの取り外しデバイス１の別の例示的な実施態様を示す。この例示的な実施態様において、ニードルアセンブリの取り外しデバイス１は、クランピングばね２２を備えたハウジング９を含む。クランピングばね２２は、近位開口部１１と遠位開口部１８を含む。クランピングばね２２の近位開口部１１は、ニードルアセンブリ３のニードルハブ４を受け入れるようにサイズを決め及び形状を決められ得る。スライダ２１はハウジング９の近位開口部上に配置され、そしてクランピングばね２２の近位部分に係合され得る。スライダ２１がハウジング９に軸方向で可動に配設され得る。
【００２４】
図４における例示的な実施態様で示す通り、注射を投与された後、ニードルアセンブリ取り外しデバイス１は、ニードルハブ４が、クランピングばね２２の近位開口部１１において受け入れるように心合わせするよう注射デバイス２と整合する。
【００２５】
図５における例示的な実施態様で示す通り、ニードルアセンブリ取り外しデバイス１は、スライダ２１の近端２０が注射デバイス２のショルダ部分７に隣接するまで近位に前進する。ニードルアセンブリ取り外しデバイス１が更に近位に前進するとき、クランピングばね２２が圧縮し、そしてスライダ２１又はクランピングばね２２のクランピング部２４は、ニードルアセンブリ３のニードルハブを係合する。一つ又はそれ以上の止め具２３は、ハウジング９に対してスライダ２１の動きを制限するためにハウジング９内に形成され、又は逆もまたその通りである。この位置において、ニードルアセンブリ３がニードルアセンブリ取り外しデバイス１により係合されるとき、ニードルアセンブリ３は、注射デバイス２に対してハウジング９を回転することにより、取り外すことができる（例えば、ねじをまわしてはずす）。
【００２６】
図６の例示的な実施態様で示す通り、ニードルアセンブリ３が注射デバイス２から取り外された後、ニードルアセンブリ取り外しデバイス１は、注射デバイス２から取り外され得る。ニードルアセンブリ取り外しデバイス１が注射デバイス２から取り外されるとき、クランピングばね６は伸長し、そしてスライダ２１がハウジング９に対して近位に動く。スライダ２１がハウジング９に対して近位に動くとき、スライダ２１又はクランピングばね２２のクランピング部２４は、ニードルアセンブリ３を解放する。近位開口部１１又は遠位開口部１８を容器に対して方向付けすることにより、ニードルアセンブリ３が処分され得る。
【００２７】
当業者は、本明細書で記載したデバイス及び／又はシステム及び実施態様の様々な構成部材の改質（取付け及び／又は除去）は、そのような改質並びにそのいかなる及び全ての等価物も包含するが、本発明の完全な範囲及び精神から離れることなく作られ得ることを理解するであろう。
【００２８】
参照番号リスト
１：ニードルアセンブリの取り外しデバイス；
２：注射デバイス；
３：ニードルアセンブリ；
４：ニードルハブ；
５：針；
６：ネック部分；
７：ショルダ部分；
８：ボディ部分；
９：ハウジング；
１０：内側部分；
１１：近位開口部；
１２：チャンネル；
１３：第一の傾斜面；
１４：第二の傾斜面；
１５：外側部分；
１６：ばね；
１７：遠位端；
１８：遠位開口部；
１９：近位端；
２０：近位端；
２１：スライダ；
２２：クランピングばね；
２３：止め具；
２４：クランピング部；
ｚ：方向；
【図１】
2014516718.tif 000003
【図２】
2014516718.tif 000004
【図３】
2014516718.tif 000005
【図４】
2014516718.tif 000006
【図５】
2014516718.tif 000007
【図６】
2014516718.tif 000008
【国際調査報告】
2014516718.tif 000009
2014516718.tif 000010
2014516718.tif 000011